【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
物理レイヤコンバージェンスプロトコル（ＰＬＣＰ）サービスデータユニット（ＰＳＤＵ）を備えるパケットを生成すること、前記ＰＳＤＵは、送信するデータまたはパイロット信号のために使用されない１つまたは複数のトーン中で搬送される制御情報を有する、と、
信号を生成するために前記パケットを処理すること、ここにおいて、前記パケットを処理することは、
前記制御情報に第１の変調およびコーディング方式（ＭＣＳ）を適用することと、
データを送信するために使用される前記ＰＳＤＵの他のトーンに第２のＭＣＳを適用すること、ここにおいて、前記パケットは、ＰＬＣＰヘッダをさらに備え、前記第１のＭＣＳは、前記ＰＬＣＰヘッダによって示される、と
を備える、と、
前記信号を送信することと
を備える、ワイヤレス通信のための方法。
【請求項２】
搬送される前記制御情報は、前記ＰＳＤＵのための直交周波数分割多重（ＯＦＤＭ）波形の一部である、
請求項１に記載の方法。
【請求項３】
前記信号を送信することは、データを送信するために使用される前記ＰＳＤＵの他のトーンを送信するのと同じ送信機を介して前記制御情報を搬送する前記１つまたは複数のトーンを送信することを備える、および／または
前記パケットを生成することは、前記ＰＳＤＵのための直交周波数分割多重（ＯＦＤＭ）波形とは別様に前記制御情報を生成することを備える、
請求項１または２に記載の方法。
【請求項４】
前記パケットを生成することは、前記制御情報の少なくとも一部分の特定のミーニングを示すために、前記１つまたは複数のトーン中に、前記制御情報の前記少なくとも前記一部分のためのヘッダフィールドを追加することを備え、
前記ヘッダフィールドは、同期またはチャネル推定のうちの少なくとも１つのための１つまたは複数の特徴を備える、
請求項１乃至３のいずれか１項に記載の方法。
【請求項５】
前記制御情報の少なくとも一部分は、前記ＰＳＤＵ中のデータとは異なる予定受信側を有し、
前記制御情報の前記少なくとも前記一部分がブロードキャスト情報である、
請求項１乃至４のいずれか１項に記載の方法。
【請求項６】
前記１つまたは複数のトーンは、直交周波数分割多元接続（ＯＦＤＭＡ）送信のための１つまたは複数のサブチャネルを備える、
請求項１乃至５のいずれか１項に記載の方法。
【請求項７】
信号を受信することと、
物理レイヤコンバージェンスプロトコル（ＰＬＣＰ）サービスデータユニット（ＰＳＤＵ）を備えるパケットを生成するために前記前記信号を処理すること、前記ＰＳＤＵは、送信するデータまたはパイロット信号のために使用されない１つまたは複数のトーン中で搬送される制御情報を有する、と
第１の変調およびコーディング方式（ＭＣＳ）を使用して、前記制御情報を復調し、復号することと、
第２のＭＣＳを使用して、データを送信するために使用される前記ＰＳＤＵの他のトーンを復調し、復号すること、ここにおいて、前記パケットは、ＰＬＣＰヘッダをさらに備え、前記第１のＭＣＳは、前記ＰＬＣＰヘッダによって示される、と
を備える、ワイヤレス通信のための方法。
【請求項８】
前記信号を受信することは、
第１の装置から、前記制御情報を搬送する前記１つまたは複数のトーンを受信することと、
前記第１の装置とは異なる第２の装置から、データを送信するために使用される前記ＰＳＤＵの他のトーンを受信することと
を備える、請求項７に記載の方法。
【請求項９】
前記ＰＳＤＵ中のデータとは異なる予定受信側を有する前記制御情報の少なくとも一部分を無視することをさらに備える、
請求項７または８に記載の方法。
【請求項１０】
物理レイヤコンバージェンスプロトコル（ＰＬＣＰ）サービスデータユニット（ＰＳＤＵ）を備えるパケットを生成すること、前記ＰＳＤＵは、送信するデータまたはパイロット信号のために使用されない１つまたは複数のトーン中で搬送される制御情報を有する、と、
前記制御情報に第１の変調およびコーディング方式（ＭＣＳ）を適用することと、
データを送信するために使用される前記ＰＳＤＵの他のトーンに第２のＭＣＳを適用すること、ここにおいて、前記第１のＭＣＳは、前記第２のＭＣＳとは異なり、前記パケットは、ＰＬＣＰヘッダをさらに備え、前記第１のＭＣＳは、前記ＰＬＣＰヘッダによって示される、と
信号を生成するために前記パケットを処理することと
を行うように構成されたプロセッサと、
前記プロセッサに結合され、前記信号を送信するように構成された送信機と
を備える、ワイヤレス通信のための装置。
【請求項１１】
前記プロセッサは、前記制御情報の少なくとも一部分の特定のミーニングを示すために、前記ＰＳＤＵ内の周波数または時間のうちの少なくとも１つにおいて前記制御情報の前記少なくとも前記一部分を配置することによって、前記パケットを生成するように構成された、
請求項１０に記載の装置。
【請求項１２】
前記プロセッサは、前記制御情報の少なくとも一部分の特定のミーニングを示すために、前記１つまたは複数のトーン中に、前記制御情報の前記少なくとも前記一部分のためのヘッダフィールドを追加することによって、前記パケットを生成するように構成され、
前記ヘッダフィールドは、同期またはチャネル推定のうちの少なくとも１つのための１つまたは複数の特徴を備える、
請求項１０または１１に記載の装置。
【請求項１３】
信号を受信するように構成された受信機と、
前記受信機に結合され、る処理システムと
を備え、前記処理システムは、
物理レイヤコンバージェンスプロトコル（ＰＬＣＰ）サービスデータユニット（ＰＳＤＵ）を備えるパケットを生成するように前記信号を処理すること、前記ＰＳＤＵは、送信するデータまたはパイロット信号のために使用されない１つまたは複数のトーン中で搬送される制御情報を有する、と、
第１の変調およびコーディング方式（ＭＣＳ）を使用して、前記制御情報を復調し、復号することと、
第２のＭＣＳを使用して、データを送信するために使用される前記ＰＳＤＵの他のトーンを復調し、復号すること、ここにおいて、前記パケットは、ＰＬＣＰヘッダをさらに備え、前記第１のＭＣＳは、前記ＰＬＣＰヘッダによって示される、と
を行うように構成される、ワイヤレス通信のための装置。
【請求項１４】
前記受信機は、
第２の装置から、前記制御情報を搬送する前記１つまたは複数のトーンを受信することと、
前記第２の装置とは異なる第３の装置から、データを送信するために使用される前記ＰＳＤＵの他のトーンを受信することと
を行うことによって前記信号を受信するように構成された、請求項１３に記載の装置。
【請求項１５】
請求項１乃至９のいずれか１項に記載の方法を実行するための命令を備えるコンピュータプログラム。
【手続補正２】
【補正対象書類名】明細書
【補正対象項目名】００９３
【補正方法】変更
【補正の内容】
【００９３】
[0103]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
以下に、本願出願の当初の特許請求の範囲に記載された発明を付記する。
［Ｃ１］
データを送信するために使用されない、物理レイヤコンバージェンスプロトコル（ＰＬＣＰ）サービスデータユニット（ＰＳＤＵ）の１つまたは複数のトーン中で搬送される制御情報を有する前記ＰＳＤＵを備えるパケットを生成することと、
信号を生成するために前記パケットを処理することと、
前記信号を送信することと
を備える、ワイヤレス通信のための方法。
［Ｃ２］
搬送される前記制御情報は、前記ＰＳＤＵのための直交周波数分割多重（ＯＦＤＭ）波形の一部である、
［Ｃ１］に記載の方法。
［Ｃ３］
前記信号を送信することは、データを送信するために使用される前記ＰＳＤＵの他のトーンを送信するのと同じ送信機を介して前記制御情報を搬送する前記１つまたは複数のトーンを送信することを備える、
［Ｃ１］に記載の方法。
［Ｃ４］
前記信号を送信することは、
第１の装置から、前記制御情報を搬送する前記１つまたは複数のトーンを送信することと、
前記第１の装置とは異なる第２の装置から、データを送信するために使用される前記ＰＳＤＵの他のトーンを送信すること、ここにおいて、前記第１の装置から、前記制御情報を搬送する前記１つまたは複数のトーンを送信することは、前記制御情報を搬送する前記１つまたは複数のトーンを使用して競合プロシージャを開始することまたは継続することを備える、と
を備える、［Ｃ１］に記載の方法。
［Ｃ５］
前記パケットを生成することは、前記ＰＳＤＵのための直交周波数分割多重（ＯＦＤＭ）波形とは別様に前記制御情報を生成することを備える、
［Ｃ１］に記載の方法。
［Ｃ６］
前記パケットを処理することは、
前記制御情報に第１の変調およびコーディング方式（ＭＣＳ）を適用することと、
データを送信するために使用される前記ＰＳＤＵの他のトーンに第２のＭＣＳを適用すること、ここにおいて、前記パケットは、ＰＬＣＰヘッダをさらに備え、前記第１のＭＣＳは、前記ＰＬＣＰヘッダによって示される、と
を備える、［Ｃ１］に記載の方法。
［Ｃ７］
前記パケットを生成することは、前記制御情報の少なくとも一部分の特定のミーニングを示すために、前記ＰＳＤＵ内の周波数または時間のうちの少なくとも１つにおいて前記制御情報の前記少なくとも前記一部分を配置することを備える、
［Ｃ１］に記載の方法。
［Ｃ８］
前記特定のミーニングを示すメッセージを送信することをさらに備える、
［Ｃ７］に記載の方法。
［Ｃ９］
前記パケットを生成することは、前記制御情報の少なくとも一部分の特定のミーニングを示すために、前記１つまたは複数のトーン中に、前記制御情報の前記少なくとも前記一部分のためのヘッダフィールドを追加することを備え、
前記ヘッダフィールドは、同期またはチャネル推定のうちの少なくとも１つのための１つまたは複数の特徴を備える、
［Ｃ１］に記載の方法。
［Ｃ１０］
前記制御情報の少なくとも一部分は、前記ＰＳＤＵ中のデータとは異なる予定受信側を有し、
前記制御情報の前記少なくとも前記一部分がブロードキャスト情報である、
［Ｃ１］に記載の方法。
［Ｃ１１］
前記１つまたは複数のトーンは、直交周波数分割多元接続（ＯＦＤＭＡ）送信のための１つまたは複数のサブチャネルを備える、
［Ｃ１］に記載の方法。
［Ｃ１２］
信号を受信することと、
データを送信するために使用されない、物理レイヤコンバージェンスプロトコル（ＰＬＣＰ）サービスデータユニット（ＰＳＤＵ）の１つまたは複数のトーン中で搬送される制御情報を有する前記ＰＳＤＵを備えるパケットを生成するために前記信号を処理することと
を備える、ワイヤレス通信のための方法。
［Ｃ１３］
前記制御情報を搬送する前記１つまたは複数のトーンに基づいて同期またはチャネル推定のうちの少なくとも１つを実行することをさらに備える、
［Ｃ１２］に記載の方法。
［Ｃ１４］
搬送される前記制御情報は、前記ＰＳＤＵのための直交周波数分割多重（ＯＦＤＭ）波形の一部である、
［Ｃ１２］に記載の方法。
［Ｃ１５］
前記信号を受信することは、
第１の装置から、前記制御情報を搬送する前記１つまたは複数のトーンを受信することと、
前記第１の装置とは異なる第２の装置から、データを送信するために使用される前記ＰＳＤＵの他のトーンを受信することと
を備える、［Ｃ１２］に記載の方法。
［Ｃ１６］
第１の変調およびコーディング方式（ＭＣＳ）を使用して、前記制御情報を復調し、復号することと、
第２のＭＣＳを使用して、データを送信するために使用される前記ＰＳＤＵの他のトーンを復調し、復号すること、ここにおいて、前記パケットは、ＰＬＣＰヘッダをさらに備え、前記第１のＭＣＳは、前記ＰＬＣＰヘッダによって示される、と
をさらに備える、［Ｃ１２］に記載の方法。
［Ｃ１７］
前記ＰＳＤＵ内の周波数または時間のうちの少なくとも１つにおける前記制御情報の少なくとも一部分の位置に基づいて、前記制御情報の前記少なくとも前記一部分のミーニングを解釈することと、
前記解釈することの前に、前記ミーニングを示すメッセージを受信することと
をさらに備える、［Ｃ１２］に記載の方法。
［Ｃ１８］
前記ミーニングは、前記制御情報のソースまたは宛先のうちの少なくとも１つを備える、
［Ｃ１７］に記載の方法。
［Ｃ１９］
前記１つまたは複数のトーン中の、前記制御情報の少なくとも一部分のためのヘッダフィールドに基づいて、前記制御情報の前記少なくとも前記一部分のミーニングを解釈することと、
前記制御情報の前記少なくとも前記一部分のための前記ヘッダフィールドに基づいて、前記１つまたは複数のトーンのうちの少なくとも１つのための同期またはチャネル推定のうちの少なくとも１つを実行することと
をさらに備える、［Ｃ１２］に記載の方法。
［Ｃ２０］
前記ＰＳＤＵ中のデータとは異なる予定受信側を有する前記制御情報の少なくとも一部分を無視することをさらに備える、
［Ｃ１２］に記載の方法。
［Ｃ２１］
データを送信するために使用されない、ＰＳＤＵの１つまたは複数のトーン中で搬送される制御情報を有する前記ＰＳＤＵを備えるパケットを生成することと、
信号を生成するために前記パケットを処理することと
を行うように構成された処理システムと、
前記処理システムに結合され、前記信号を送信するように構成された送信機と
を備える、ワイヤレス通信のための装置。
［Ｃ２２］
前記処理システムは、
前記制御情報に第１の変調およびコーディング方式（ＭＣＳ）を適用することと、
データを送信するために使用される前記ＰＳＤＵの他のトーンに第２のＭＣＳを適用すること、ここにおいて、前記第１のＭＣＳは、前記第２のＭＣＳとは異なり、前記パケットは、ＰＬＣＰヘッダをさらに備え、前記第１のＭＣＳは、前記ＰＬＣＰヘッダによって示される、と
を行うことによって前記パケットを処理するように構成された、［Ｃ２１］に記載の装置。
［Ｃ２３］
前記処理システムは、前記制御情報の少なくとも一部分の特定のミーニングを示すために、前記ＰＳＤＵ内の周波数または時間のうちの少なくとも１つにおいて前記制御情報の前記少なくとも前記一部分を配置することによって、前記パケットを生成するように構成された、
［Ｃ２１］に記載の装置。
［Ｃ２４］
前記送信機は、前記特定のミーニングを示すメッセージを送信するようにさらに構成された、
［Ｃ２３］に記載の装置。
［Ｃ２５］
前記処理システムは、前記制御情報の少なくとも一部分の特定のミーニングを示すために、前記１つまたは複数のトーン中に、前記制御情報の前記少なくとも前記一部分のためのヘッダフィールドを追加することによって、前記パケットを生成するように構成され、
前記ヘッダフィールドは、同期またはチャネル推定のうちの少なくとも１つのための１つまたは複数の特徴を備える、
［Ｃ２１］に記載の装置。
［Ｃ２６］
信号を受信するように構成された受信機と、
前記受信機に結合され、データを送信するために使用されない、物理レイヤコンバージェンスプロトコル（ＰＬＣＰ）サービスデータユニット（ＰＳＤＵ）の１つまたは複数のトーン中で搬送される制御情報を有する前記ＰＳＤＵを備えるパケットを生成するために前記信号を処理するように構成された処理システムと
を備える、ワイヤレス通信のための第１の装置。
［Ｃ２７］
前記処理システムは、前記制御情報を搬送する前記１つまたは複数のトーンに基づいて同期またはチャネル推定のうちの少なくとも１つを実行するようにさらに構成された、
［Ｃ２６］に記載の第１の装置。
［Ｃ２８］
前記受信機は、
第２の装置から、前記制御情報を搬送する前記１つまたは複数のトーンを受信することと、
前記第２の装置とは異なる第３の装置から、データを送信するために使用される前記ＰＳＤＵの他のトーンを受信することと
を行うことによって前記信号を受信するように構成された、［Ｃ２６］に記載の第１の装置。
［Ｃ２９］
前記処理システムは、
第１の変調およびコーディング方式（ＭＣＳ）を使用して、前記制御情報を復調し、復号することと、
第２のＭＣＳを使用して、データを送信するために使用される前記ＰＳＤＵの他のトーンを復調し、復号すること、ここにおいて、前記パケットは、ＰＬＣＰヘッダをさらに備え、前記第１のＭＣＳは、前記ＰＬＣＰヘッダによって示される、と
を行うようにさらに構成された、［Ｃ２６］に記載の第１の装置。
［Ｃ３０］
前記処理システムは、前記ＰＳＤＵ内の周波数または時間のうちの少なくとも１つにおける前記制御情報の少なくとも一部分の位置に基づいて、前記制御情報の前記少なくとも前記一部分のミーニングを解釈するようにさらに構成され、
前記受信機は、前記処理システムによる前記解釈の前に、前記ミーニングを示すメッセージを受信するようにさらに構成された、
［Ｃ２６］に記載の第１の装置。